(57)【特許請求の範囲】
【請求項１】
容器の胴部にＲＦＩＤが具備され、胴部周りにフィルムが巻き付けられており、
巻き付けたフィルムの一部分を扁平状に形成することにより扁平部が設けられていると共に、この扁平部の両側縁が胴部の外側又は胴部外形延長上の外側に突出され、且つ扁平部の扁平面がＲＦＩＤと同じ側に向けられていることを特徴とするＲＦＩＤ付き容器体。
【請求項２】
前記容器の胴部が円筒状であり、前記扁平部の両側縁を結んだ仮想直線が前記円筒状の胴部の回転中心軸及び前記扁平部の扁平面を通るように、前記扁平部が設けられている請求項１記載のＲＦＩＤ付き容器体。
【請求項３】
前記扁平部が、巻き付けたフィルムを容器の上方側又は下方側の少なくとも何れか一方端側から突出させ、この突出した部分を押し潰すことにより形成されている請求項１又は２記載のＲＦＩＤ付き容器体。
【請求項４】
前記ＲＦＩＤが、前記フィルムの一部分に設けられている請求項１〜３の何れかに記載のＲＦＩＤ付き容器体。
【請求項５】
円筒状の胴部を有する容器と、前記胴部の直径よりも幅広の突出領域と粘着剤が設けられた貼付領域とを有する粘着ラベルと、を有し、
前記貼付領域にＲＦＩＤが設けられており、前記突出領域の両側縁を前記胴部の外側に突出させた状態で、前記粘着ラベルの貼付領域が前記胴部に貼り付けられており、
前記突出領域の表面がＲＦＩＤと同じ側に向けられていることを特徴とするＲＦＩＤ付き容器体。
【請求項６】
前記ＲＦＩＤの設けられた領域が切取補助線を介して区画されている請求項４又は５に記載のＲＦＩＤ付き容器体。
【請求項７】
請求項１〜６の何れかに記載のＲＦＩＤ付き容器体の複数個が、ＲＦＩＤの向きを揃えた状態で、包装箱内に収容されていることを特徴とする包装体。
【発明の詳細な説明】
【技術分野】
【０００１】
本発明は、ＲＦＩＤが具備されたＲＦＩＤ付き容器体、及びその包装体に関する。
【背景技術】
【０００２】
近年のＩＴ技術の著しい進歩によって、超小型のＩＣチップを備えるＲＦＩＤが、バーコードなどに代わって商品の製造、品質、流通などの管理に利用されるようになってきている。このＲＦＩＤに商品情報（品名、ロット番号、製造日、品質保持期限等）や入出荷情報（出荷日、入庫日等）などを適宜記録することにより、商品の製造元から流通業者を経て消費者に亘るまでの流通履歴を含めた商品管理を、個々の商品毎に行うことが可能となる。
例えば、アンプルなどの医療用容器にＲＦＩＤを具備させ、製造元から流通業者を経て消費者（病院など）に至るまでの各流通拠点で、ＲＦＩＤに、入出荷情報（出荷日、入庫日等）や検品情報などの所望の情報を追加又は更新記録していくことにより、極めて正確な流通履歴を残すことができる。このようにＲＦＩＤを用いれば、医薬品などの商品の追跡管理を容易に行えるという利点がある。
【０００３】
このようなＲＦＩＤを商品に具備させる手段として、例えば、特開２００４−２０７７１には、筒状のラベル基材面に、導電性インキからなるアンテナパターンが印刷され、このアンテナパターンに電気的に導通するようにＩＣチップが貼着されているＲＦＩＤ付きボトル用ラベルを、容器胴部に装着することが開示されている。
また、このような筒状ラベル以外に、ＲＦＩＤを備える粘着ラベルを、容器胴部に貼付する手段も考えられる。
【０００４】
ところで、多くの商品は、通常、複数個を纏めて包装箱に収容された包装体の形態で、工場から出荷され、保管・搬送などの流通に供している。
該包装体は、例えば、包装箱の内部に仕切を設け、この仕切で区画された個々の空間に、容器を横にした（容器の胴部を包装箱の底面上に置いた）状態で複数の容器が収容されている、或いは、個々の空間に、容器を縦にした（容器の底面を包装箱の底面上に置いた）状態で複数の容器が収容されている。
そして、包装箱に収容された個々の容器のＲＦＩＤに、無線通信装置を用いてアクセスする場合、包装箱から容器を取り出さずに、包装箱の外側から個々の容器のＲＦＩＤにそれぞれアクセスできるようにすることが求められる。
この点、個々の容器のＲＦＩＤが全て同じ方向に向くように収容すれば、１台の無線通信装置を用いて、全ての容器のＲＦＩＤにそれぞれアクセスすることができる。
【０００５】
しかしながら、容器を包装箱内に収容する際に、全ての容器のＲＦＩＤの向きを調整することは包装作業の煩雑化を招く。
さらに、ＲＦＩＤの向きを揃えて包装箱に容器を収容しても、例えば、その容器の胴部が円筒状である場合、流通過程でＲＦＩＤの向きが変わることもある。
具体的には、容器の胴部が円筒状の場合、包装体を搬送中に振動等が加わって容器が胴部周方向に回転するため、容器の胴部に貼付されたＲＦＩＤの向きが変化する。例えば、容器を横にした状態で複数の容器が包装されている包装体にあっては、個々の容器が無秩序に回転することで、ある容器のＲＦＩＤは下に向き、ある容器のＲＦＩＤは上に向き、ある容器のＲＦＩＤは隣の容器側に向くというように、個々の容器毎にＲＦＩＤの方向性が定まらない。
このように個々の容器のＲＦＩＤが様々な方向に向いた状態の包装体に対し、一方向から電波を飛ばす無線通信装置では、全ての容器のＲＦＩＤに確実にアクセスできない。
特に、隣合う容器のＲＦＩＤ同士が向かい合うと、電波干渉が生じて正確にアクセスできない。
【発明の開示】
【発明が解決しようとする課題】
【０００６】
そこで、本発明は、容器の胴部に具備されたＲＦＩＤに、無線通信装置が確実にアクセスできるＲＦＩＤ付き容器体を提供することを第１の課題とする。
また、本発明は、複数のＲＦＩＤ付き容器体が収容された包装体であって、個々の容器体を取り出さなくても、各容器の胴部に具備されたＲＦＩＤのそれぞれに、無線通信装置が確実にアクセスできる包装体を提供することを第２の課題とする。
【課題を解決するための手段】
【０００９】
本発明の第１の手段として、容器の胴部にＲＦＩＤが具備され、胴部周りにフィルムが巻き付けられており、巻き付けたフィルムの一部分を扁平状に形成することにより扁平部が設けられていると共に、この扁平部の両側縁が胴部の外側又は胴部外形延長上の外側に突出され、且つ扁平部の扁平面がＲＦＩＤと同じ側に向けられているＲＦＩＤ付き容器体を提供する。
【００１０】
上記ＲＦＩＤ付き容器体は、巻き付けたフィルムの一部分を扁平状に形成することにより扁平部が設けられていると共に、この扁平部の両側縁が容器胴部の外側又は胴部外形延長上の外側に突出されているので、ＲＦＩＤ付き容器体は、胴部周方向への回転が規制される。従って、容器体に対し一方向から電波を飛ばす無線通信装置が、該容器体のＲＦＩＤに確実にアクセスできる。
また、上記扁平部の扁平面は、ＲＦＩＤと同じ側に向けられているので、例えば、包装箱内に複数の容器体を横にした状態で収容する際、個々の容器体は、包装作業時に向き調整を行わなくても、扁平部の両側縁の突出に起因して、ＲＦＩＤが包装箱の底面に対面又は反対側に向いた状態となる。従って、包装作業が煩雑化せず、又、収容された隣合う容器体のＲＦＩＤ同士が向かい合わないので、電波干渉によるアクセス不良を防止できる。
【００１１】
本発明の好ましい態様では、前記容器の胴部が円筒状であり、前記扁平部の両側縁を結んだ仮想直線が前記円筒状の胴部の回転中心軸及び前記扁平部の扁平面を通るように、前記扁平部が設けられている上記ＲＦＩＤ付き容器体を提供する。
さらに、本発明の好ましい態様では、前記扁平部が、巻き付けたフィルムを容器の上方側又は下方側の少なくとも何れか一方端側から突出させ、この突出した部分を押し潰すことにより形成されている上記ＲＦＩＤ付き容器体を提供する。
本発明の好ましい態様では、前記ＲＦＩＤが、前記フィルムの一部分に設けられている上記ＲＦＩＤ付き容器体を提供する。かかるＲＦＩＤ付き容器体は、フィルムの一部分にＲＦＩＤが具備されているので、フィルムの巻付け作業を行うだけで、ＲＦＩＤを容器に具備させることができる。
【００１２】
また、本発明の第２の手段として、円筒状の胴部を有する容器と、前記胴部の直径よりも幅広の突出領域と粘着剤が設けられた貼付領域とを有する粘着ラベルと、を有し、前記貼付領域にＲＦＩＤが設けられており、前記突出領域の両側縁を前記胴部の外側に突出させた状態で、前記粘着ラベルの貼付領域が前記胴部に貼り付けられており、前記突出領域の表面がＲＦＩＤと同じ側に向けられているＲＦＩＤ付き容器体を提供する。
本発明の好ましい態様では、前記ＲＦＩＤの設けられた領域が切取補助線を介して区画されている上記ＲＦＩＤ付き容器体を提供する。
かかる好ましいＲＦＩＤ付き容器体は、巻き付けたフィルムを容器から取り除くと共に、切取補助線を利用して、ＲＦＩＤの設けられた領域と該領域以外のフィルムを分断することにより、容器にＲＦＩＤを貼付したままフィルムのみを除去できる。従って、例えば、医薬品などを収納する医療用容器に本発明を適用することにより、医薬品使用時にはフィルムのみを除去し、その後、医療用容器にＲＦＩＤを付随させて保存することもできる。また、剥離可能で且つ再貼付可能な粘着剤がＲＦＩＤの設けられた領域に設けられている場合には、容器からＲＦＩＤを引き剥がし、カルテなどに再貼付して保存することもできる。
【００１３】
本発明の第３の手段は、上記ＲＦＩＤ付き容器体の複数個が、ＲＦＩＤの向きを揃えた状態で、包装箱内に収容されている包装体を提供する。
上記のとおり、本発明のＲＦＩＤ付き容器体は、胴部周方向の回転が規制されるので、ＲＦＩＤ付き容器体の複数個が、ＲＦＩＤの向きを揃えた状態で包装箱内に収容されている包装体に振動などが加わっても、収容された個々の容器体は、ＲＦＩＤの向きが変わり難い。
従って、包装体から個々の容器体を取り出さなくても、各容器の胴部に具備されたＲＦＩＤのそれぞれに、無線通信装置が確実にアクセスできる。
【発明の効果】
【００１４】
本発明の第１のＲＦＩＤ付き容器体は、その回転が規制されるので、包装箱などに収容した際、胴部に具備されたＲＦＩＤの方向性が変わり難い。従って、一方向から電波を飛ばす無線通信装置を用いて、ＲＦＩＤに確実にアクセスすることができるＲＦＩＤ付き容器体を提供することができる。
さらに、本発明の第２のＲＦＩＤ付き容器体は、上記効果に加えて、包装箱などに収容する際の包装作業も簡便で、又、電波干渉によるアクセス不良も防止できる。
また、本発明の包装体は、包装体から個々のＲＦＩＤ付き容器体を取り出さなくても、一方向から電波を飛ばす無線通信装置を用いて、各容器の胴部に具備されたＲＦＩＤのそれぞれに確実にアクセスすることができる。
【発明を実施するための最良の形態】
【００１５】
以下、本発明について、図面を参照しつつ具体的に説明する。
図１及び図２に於いて、１は、医療用容器であるアンプル２と、該アンプル２の胴部２１に具備されたＲＦＩＤ３と、胴部２１周りに巻付けられ且つ扁平部５１の形成されたフィルム５と、を有するＲＦＩＤ付き容器体（以下、単に容器体と記す場合がある）を示す。
アンプル２は、図３に示すように、医薬品を封入する収納部を有する円筒状の胴部２１と、切断用の縊れ部２２を介して胴部２１と一体的に形成され且つ胴部２１よりも小径の副胴部２３と、を有する容器である。
この胴部２１は、上下に細長く（底面の直径よりも胴部長が長く）、長手方向の任意位置に於ける横断面形状が円形状に形成されている。そして、胴部２１の周面は、アンプルの最外周面を構成している。
アンプル２は、従来公知の透明又は遮光性を有するガラス、合成樹脂などで形成されている。
【００１６】
このアンプル２の胴部２１には、ＲＦＩＤ３が具備されており、更に、ＲＦＩＤ３を含む胴部２１周りに、フィルム５が巻き付けられている（以下、この巻付けて装着するフィルムを巻付けフィルムという）。
ＲＦＩＤ３は、該巻付けフィルム５の一部分に設けられており、ＲＦＩＤ３を胴部２１に貼付した後、このＲＦＩＤ３を巻き込むように巻付けフィルム５が胴部２１の周りに巻き付けられている。
該巻付けフィルム５は、その一側端が胴部２１に貼付された状態で巻付けられ、且つ他側端が巻付けフィルム５の表面に貼付されることにより、筒状に形成されている。
筒状に形成された巻付けフィルム５の上下端部は、アンプル２の上下側にそれぞれ突出している。この上下端部の裏面には粘着剤が塗工されており、上下端部を扁平状にして接着することにより、巻付けフィルム５の上下に扁平部５１がそれそれ形成されている。
筒状の巻付けフィルム５を扁平状に押し潰した扁平部５１は、図１（ａ）及び（ｃ）に示すように、その幅が胴部２１の直径よりも長く、且つその両側縁が胴部２１の外形延長上の外側に突出している。この扁平部５１は、その扁平面５２がＲＦＩＤ３と同じ側に向くように形成されている。
【００１７】
具体的には、ＲＦＩＤ３は、図４に示すように、ＩＣチップ３１及びアンテナ部３２からなるモジュール部を少なくとも有し、無線通信装置（後述するように、読込み型、書込み型、又は読書き型の何れでもよい）によって非接触でＩＣチップ３１の電気的情報を読み込む及び／又はＩＣチップ３１に書き込むことができる無線電子部品であり、本発明では公知のものを用いることができる。
尚、このＲＦＩＤ３には、一般的に、ＲＦＩＤタグ、ＲＦＩＤインレット、ＩＣタグ、無線ＩＣタグ、非接触ＩＣ、非接触データキャリアなどと表現されているものも含まれる。
ＲＦＩＤ３は、胴部２１全周面の半分（半周面）以内に収まる大きさのものが好ましい。
【００１８】
ＲＦＩＤ３は、一般に支持基材上に上記モジュール部が設けられて実用に供されるが、本実施形態のＲＦＩＤ３は、巻付けフィルム５の一部分に、ＩＣチップ３１及びアンテナ部３２からなるモジュール部が形成されている。尚、ＲＦＩＤ３は、巻付けフィルム５の一部分に直接設けられている態様の他、巻付けフィルム５と別個の支持基材上にＲＦＩＤ３を設け、この支持基材を巻付けフィルム５の一部分に貼付することにより、ＲＦＩＤ３を巻付けフィルム５に設ける態様でもよい。
この巻付けフィルム５を容器胴部２１に貼付することにより、巻付けフィルム５を介してＲＦＩＤ３が胴部２１に具備されている。尚、特に図示しないが、モジュール部の表面に保護基材（通常、薄い合成樹脂フィルム）を積層してもよい。
【００１９】
巻付けフィルム５は、図４及び図５に示すように、ＲＦＩＤ３の具備された領域が切取補助線５５を介して区画されている。具体的には、巻付けフィルム５は、矩形状の巻付け領域５３と、巻付け領域５３の一側端中央部から外側に延出され且つＲＦＩＤ３が具備された基材領域５４と、を有する。切取補助線５５としては、図示したようなミシン目の他、ハーフカット線などを用いることができる。
尚、巻付けフィルム５の裏面（又は表面）に、必要に応じて、商品名、説明書き、注意書きなどの所望の表示を印刷してもよい。
【００２０】
巻付けフィルム５の巻付け領域５３の一側端、他側端及び上下端の裏面には、粘着剤５６が帯状に塗工されている。但し、巻付け領域５３の他側端は、巻付けフィルム５を除去する際に利用する捲り代５７を確保するために、端縁から所定幅だけ粘着剤が塗工されていない。
さらに、巻付けフィルム５の基材領域５４の裏面にも同様に粘着剤が塗工されている。
尚、上記粘着剤の塗工は、ベタ状に塗工されていてもよいし、格子状などに塗工されていてもよい。但し、図５に於いて、便宜上、粘着剤が設けられた部分を網掛けで示す。
【００２１】
粘着剤としては、手で剥離可能な程度の接着力を有し且つ再貼付可能なものが用いられている。もっとも、手で剥離できない程度の接着力を有するものや再貼付不能なものを用いてもよい。粘着剤の種類としては、従来公知のものを利用でき、例えば、感圧型粘着剤、室温では粘着性を示さず且つ加熱されることによって粘着性を発揮する感熱性粘着剤などを用いることができる。巻付けフィルム５の装着作業が簡便であること及び離型紙を必要としないことなどから、感熱性粘着剤を用いることが好ましい。感熱性粘着剤としては、例えば、ホットメルト型感熱粘着剤、パートコート型感熱粘着剤、ディレードタック型感熱粘着剤などを適宜用いることができる。
【００２２】
巻付けフィルム５の材質は、特に限定されず、ポリエチレンテレフタレートなどのポリエステル系、ポリプロピレンなどのポリオレフィン系、ポリスチレン系、ポリアミド系などの公知の合成樹脂製延伸フィルムの１層又は２層以上の積層体、紙、合成紙などの他、これらの異種の積層体などの各種フィルムを用いることができる。巻付けフィルム５は、アンプル２内に収納された医薬品を透視するため、無色透明又は有色透明（遮光性を付与するため、例えば、透明フィルムに、朱インキや黄インキをベタ印刷したもの）のフィルムを用いることが好ましい。尚、無線通信装置とＲＦＩＤ３間の電波を遮断する虞があるので、巻付けフィルム５は、金属蒸着層やアルミニウム箔などの金属層が積層されていない金属層非積層のフィルムを用いることが好ましい。又、巻付けフィルム５は、扁平部５１を構成するので、比較的剛性の高いもの、例えば、ポリエチレンテレフタレートなどのポリエステル系、ポリアミド系などのフィルムを含むものが好ましい。巻付けフィルム５の厚みは、２０〜２００μｍ程度、好ましくは、３０〜１５０μｍ程度である。
【００２３】
ＲＦＩＤ３が具備された巻付けフィルム５の基材領域５４の裏面を、アンプル２の胴部２１に貼付しつつ、巻付け領域５３の一側端の裏面を胴部２１に貼付すると共に、該巻付け領域５３を胴部２１周りに巻付け、巻付け領域５３の他側端の裏面を巻付けフィルム５の表面に貼付して筒状に成形した後、扁平面５２がＲＦＩＤ３と同じ側になるように位置合わせをしつつ上下端部を扁平状に押し潰して扁平部５１を形成することにより、本発明のＲＦＩＤ付き容器体１を得ることができる。
【００２４】
上記ＲＦＩＤ付き容器体１は、転がり防止手段として、胴部２１の外形延長上の外側に突出する扁平部５１を有するので、胴部周方向への回転が規制される。
また、容器体１は、ＲＦＩＤ３が巻付けフィルム５によって覆われているので、巻付けフィルム５によってＲＦＩＤ３が保護される。
さらに、巻付けフィルム５の一部分にＲＦＩＤ３が具備されているので、巻付けフィルム５の巻付け作業を行うだけで、ＲＦＩＤ３を容器２に具備させつつ、これを巻付けフィルム５にて覆うことができる。
また、巻付けフィルム５は、巻付け領域５３と基材領域５４が切取補助線５５を介して連設されているので、医薬品使用時には巻付けフィルム５を外し且つ切取補助線５５にて巻付け領域５３のみを除去することにより、ＲＦＩＤ３の具備された基材領域５４をアンプル２に残して保存することができる。また、切取補助線５５にて分離された基材領域５４には、剥離可能で且つ再貼付可能な粘着剤が設けられているので、ＲＦＩＤ３の具備された基材領域５４をアンプル２から引き剥がし、カルテに再貼付することもできる。よって、アンプル２の商品情報をＲＦＩＤ３を通じてカルテに保存することができる。
【００２５】
上記ＲＦＩＤ付き容器体１は、例えば、図６〜図７に示すように、複数個を纏めて包装箱７に収容されることで、包装体１０の形態で保管・搬送などの流通に供される。
包装箱７は、特に限定されず、例えば、厚紙、段ボール、硬質プラスチックシートなどの比較的硬いシートを組み立てた組立箱や、箱状に成形した合成樹脂成形品などを用いることができる。また、包装箱７は、透明なもの又は非透明なものを用いることができる。
該包装箱７の中に、ＲＦＩＤ付き容器体１の複数個を横にして（包装箱７の底面７１上にアンプル２の胴部２１側を対面させて）又は縦にして（包装箱７の底面７１にアンプル２の底面側を対面させて）並べて収容することにより、包装体１０が構成される。
【００２６】
容器体１を横にして収容した包装体１０は、例えば、図６（ａ）に示すように、包装箱７内に、ＲＦＩＤ３を下向きにして（ＲＦＩＤ３を包装箱７の底面７１に対面して）複数の容器体１が１段に並べられている。この場合、隣合う容器体１の間隙を埋めるため、例えば、包装箱７の底面に、波状の仕切部材７３が設けられる。
尚、各容器体１は、同図（ｂ）に示すように、ＲＦＩＤ３を上向きにして（ＲＦＩＤ３を包装箱７の底面７１に反対側に向けて）収容されていてもよいし、又、各容器体１は、ＲＦＩＤ３を上下交互に向くように収容されていてもよい（図示せず）。
また、容器体１を１段に並べて収容する以外に、包装箱７内に複段に並べて収容することもできる。例えば、同図（ｂ）に示すように、横にして並べられた下段の各容器体１の間に、上段の容器体１を横にして並べる如き態様が例示される。
【００２７】
上記ＲＦＩＤ付き容器体１は、扁平部５１の両側縁が胴部２１の外形延長上の外側に突出されているので、該容器体１を横にして並べると、扁平部５１の突出により、扁平部５１の扁平面５２が、包装箱７の底面７１に対して略平行又は少し傾斜した状態となる。そして、容器体１の扁平部５１は、扁平面５２がＲＦＩＤ３と同じ側となるように形成されているので、各容器体１のＲＦＩＤ３は、包装箱７の底面７１に対して上向き又は下向きの何れかに揃えられる。
従って、包装体１０の包装作業時、各容器体１の向き調整を行わなくても、各容器体１は、ＲＦＩＤ３の向きが包装箱７の底面７１に対して上向き又は下向きの何れかに揃えられる。
かかる包装体１０の搬送時に振動が加わっても、各容器体１は扁平部５１の突出によって回転が規制されているので、揃えられた各容器体１のＲＦＩＤ３の向きが変わりにくい。従って、胴部２１に具備されたＲＦＩＤ３が隣合う容器２間で向かい合う虞がない。
【００２８】
また、容器体１を縦にして収容した包装体１０は、例えば、図７に示すように、包装箱７の一側面７２と他側面７３との距離Ｌが扁平部５１の幅よりも短く且つ容器２の胴部２１の直径よりも長く形成された包装箱７が用いられる。
該包装箱７内の各容器体１は、そのＲＦＩＤ３が包装箱７の一側面７２側に向けられ且つ該包装箱７の一側面７２に対して扁平部５１の扁平面５２を傾斜させると共に、隣合う容器体１の胴部側を重ねた状態で収容されている。
このように扁平部５１の両側縁が包装箱７の一側面７２及び他側面７３によって位置決めされ且つ隣合う容器体１が重ねられているので、該包装体１０は、各容器体１の回転が規制され、揃えられたＲＦＩＤ３の向きが変わりにくい。
【００２９】
次に、上記包装体の使用例について説明する。
医薬品をアンプル２内に充填した後、該医薬品に関する商品情報（品名、商品の個別的な識別番号、製造日、製造場所、品質保持期限などの所望の情報）をＲＦＩＤ３のＩＣチップ３１に記録し、胴部２１に巻付けフィルム５を装着して上記ＲＦＩＤ付き容器体１を作製する。各容器体１を包装箱７内に横にして又は縦にして収容することで包装体１０を作製する。
尚、ＲＦＩＤ３への商品情報の記録は、アンプル２に貼付する前に行わず、包装体１０を作製後、ＲＦＩＤ３へ情報を書き込み可能な書込み型又は読書き型の無線通信装置を用いて行うこともできる。
【００３０】
この包装体１０は、搬送ラインなどで搬送され、倉庫に保管、或いは製造元から出荷され、流通に供される。そして、搬送ラインなどの所定箇所に於いて、無線通信装置を用いて、包装体１０の状態で個々の容器体１に具備されたＲＦＩＤ３との通信が行われる。
例えば、容器体１を横にして収容した包装体１０にあっては、搬送途中に於いて、図８に示すように、コンベア１１の間の下方に無線通信装置１２を配置し、該コンベア１１で搬送される包装体１０を無線通信装置１２に通過させている間に、該無線通信装置１２から電波が送られ、個々の容器体１のＲＦＩＤ３と通信することで、ＲＦＩＤ３に記録された情報をそれぞれ読み取る及び／又はＲＦＩＤ３に情報をそれぞれ書き込むことができる。
また、無線通信装置１２を、包装体１０の搬送途中に配置してＲＦＩＤ３と通信する態様に限られず、所望の場所で、無線通信装置１２とＲＦＩＤ３の通信を行うこともできる。
【００３１】
ここで、無線通信装置は、ＲＦＩＤ３と無線（非接触）によってアクセスできる装置であって、ＲＦＩＤ３の情報を読み込む読込み型、無線でＲＦＩＤ３に情報を記録する書込み型、又は該読み込みと書き込みの双方を行える読書き型、の何れかの型を用いることができる。
読込み型の無線通信装置は、ＲＦＩＤ３に対して、その記録情報を読み込む機能を有する。かかる読込み型の無線通信装置を用いる場合、例えば、各容器体１に具備されたＲＦＩＤ３にそれぞれの識別番号（ＩＤ番号）が記録され、且つ該識別番号に対応した商品情報が別途データベース化されたシステムを構築することにより（例えば、別に設置したホストコンピュータに商品情報が記録更新され、且つインターネットなどの通信網を通じてアクセスできるデータベースなど）、読込み型の無線通信装置で読み込んだＲＦＩＤ情報（識別番号等）を元にしてこのデータベースと照合し、個々の容器体１についての商品情報を確認でき、商品管理を行うことができる。
【００３２】
また、書込み型の無線通信装置は、ＲＦＩＤ３に対しては、所定情報を書き込む機能を有する。かかる書込み型の無線通信装置を用いる場合、流通過程に於ける各箇所で、所定の商品情報を追記更新することにより、各容器体１のＲＦＩＤ３に重畳的に商品情報を蓄積できる。
これら読込み型、書込み型、読書き型の無線通信装置は、各流通箇所に於いて適宜選択して使用でき、例えば、製造元から販売業者又は消費者に至るまで、同じ型の無線通信装置（例えば、読込み型や読書き型など）を用いたり、或いは、製造元では書込み型の無線通信装置、問屋などの流通業者では読書き型、販売業者又は消費者では読込み型をそれぞれ用いるなどのように、流通箇所で異なる型の無線通信装置を用いることもできる。
【００３３】
また、無線通信装置は、包装体１０に収容された各容器体１のＲＦＩＤ３に個々にアクセスするものでも良いし、或いは、複数個を纏めて一括してアクセスする方式のものでもよい。
【００３４】
上記包装体１０は、収容された容器体１の回転が規制されるので、搬送中に振動が加わっても、包装体１０内に揃えられたＲＦＩＤ３の向きが変わりにくく、従って、一方向から電波を飛ばす無線通信装置が、各容器体１のＲＦＩＤ３のそれぞれに確実にアクセスできる。
よって、包装体１０を開封して各容器体１を取り出さなくても、包装した状態のまま、各容器体１のＲＦＩＤ３を介してその商品管理を行うことができる。
また、隣合う容器２のＲＦＩＤ３が向かい合わないので、電波干渉によるアクセス不良も防止できる。
【００３５】
次に、本発明の変形例を示す。尚、変形例の説明にあたって、上記実施形態と同様の構成及び作用効果についてはその説明を省略し、用語及び図番を援用することがある。
上記実施形態に於いて、医療用容器２としてアンプルが例示されているが、アンプル以外の医療用容器、例えば、バイアル瓶、プレフィルドシリンジ、真空採血管などに本発明を適用することもできる。
バイアル瓶は、医薬品が封入され、使用に際して注射針などを刺して医薬品を吸い出すことができる容器であり、該バイアル瓶２としては、例えば、図９（ａ）に示すように、医薬品を入れる収納部が形成された上面開口型の円筒状の胴部２１と、この胴部２１の開口部に嵌着され且つ注射針などを貫通可能なゴム製の栓体２４と、を有するものなどが例示される。
プレフィルドシリンジは、予め医薬品が封入された容器（注射器）であり、プレフィルドシリンジ２としては、例えば、同図（ｂ）に示すように、円筒状の胴部２１と、胴部２１の前方閉塞面に形成された医薬品注出口となる注射針装着部２５と、胴部２１の後方開口部に挿入されたプランジャー栓部２６と、注射針装着部２５に取り付けられた栓体２７と、を有するものなどが例示される。
真空採血管は、血管に連通する注射針を貫通させることにより、血液を吸い出すことができる容器であり、真空採血管２としては、例えば、同図（ｃ）に示すように、血液を入れる収納部が形成された開口型の円筒状の胴部２１と、この開口部に嵌着され且つ注射針などを貫通可能なゴム製の栓体２８と、を有するものなどが例示される。
【００３６】
これら何れの容器２も上記と同様に、胴部２１にＲＦＩＤ３及び巻付けフィルム５が装着され、転がり防止手段として扁平部５１が設けられると共に、該扁平部５１の扁平面５２がＲＦＩＤ３と同じ側に向けられる。
これら何れの容器２も、最外周面が横断面円形状になっており、振動などによって胴部周方向に回転するが、転がり防止手段として扁平部５１が設けられることにより、容器体１の回転が規制される。
【００３７】
尚、医療用容器に限られず、例えば、化粧品を収納する容器、食品を収納する容器など、その他の容器２に本発明を適用できる。
【００３８】
さらに、上記実施形態では、容器２の胴部２１は円筒状であるが、例えば、胴部２１が６面体、８面体などの多角筒状の胴部２１を有する容器２に本発明を適用することもできる。
【００３９】
また、上記実施形態では、容器２全体が巻付けフィルム５によって被覆されているが、例えば、容器２の一部が巻付けフィルム５で被覆されていてもよい。
このＲＦＩＤ付き容器体１は、例えば、図１０に示すように、ＲＦＩＤ３が胴部２１に貼付され、且つ胴部２１の上方側を除いて巻付けフィルム５が巻き付けられていると共に、容器２の下方側に於いて、扁平面５２がＲＦＩＤ３と同じ側に向くように扁平部５１が形成されている。尚、本変形例では、容器２としてアンプルを図示しているが、他の容器にも本変形例を適用できる（以下同様）。
かかるＲＦＩＤ付き容器体１は、容器２の一方端側にのみ扁平部５１が形成されているものであるが、上記と同様に、該扁平部５１によって容器体１の回転が規制される。
【００４０】
さらに、上記実施形態では、扁平部５１は、容器２の上下側に突出して設けられているが、例えば、図１１に示すように、容器胴部２１に巻き付けた巻付けフィルム５の一部分を扁平状に形成することにより、胴部２１の外側に扁平部５１が突出されていてもよい。
かかる変形例のＲＦＩＤ付き容器体１は、例えば、２枚の巻付けフィルム５（一方のフィルム５にはＲＦＩＤ３が具備されている）を胴部２１の前後側にそれぞれ巻き付け、該巻付けフィルム５の両端部を胴部２１の外側に突出させ、２枚の巻付けフィルム５の突出部分を接着して扁平状に形成することによって、胴部２１の外側に両側縁の突出された扁平部５１が形成されている。この扁平部５１は、その扁平面５２がＲＦＩＤ３と同じ側に向くように形成されている。
かかる変形例のＲＦＩＤ付き容器体１も同様に、胴部２１の外側に突出された扁平部５１によって回転が規制される。また、かかる変形例のＲＦＩＤ付き容器体１は、図１１（ａ）に示すように、容器２の上下方側が巻付けフィルム５によって覆われない態様に形成することもできる。
【００４１】
また、上記実施形態では、巻付けフィルム５は、巻付け領域５３の縁部からＲＦＩＤ３の具備された基材領域５４が延出している構成からなるが、基材領域５４が延出していない態様、例えば、図１２（ａ）に示すように、矩形状の巻付けフィルム５の一部分に切取補助線５５を介してＲＦＩＤ３が具備されている態様などでもよい。
さらに、同図（ｂ）に示すように、中央部分にＲＦＩＤ３が具備された巻付けフィルム５を用いることもできる。
さらに、上記実施形態では、ＲＦＩＤ３は、巻付けフィルム５の一部分に具備されて一体化されているが、例えば、巻付けフィルムとは異なる別個の基材にＲＦＩＤ３を設け、この基材を上記粘着剤を介して胴部２１に貼付すると共に、この周りに別体の巻付けフィルム５を貼付しつつ巻付け且つ扁平部５１を形成することにより、ＲＦＩＤ付き容器体１を構成してもよい。
【００４２】
また、上記実施形態では、転がり防止手段として、巻付けフィルム５の端部に扁平部５１を形成することを例示したが、転がり防止手段は、巻付けフィルム５を扁平状にした扁平部５１に限られず、例えば、図１３に示すように、胴部２１の外側に突出する粘着ラベル４を容器胴部に貼付してもよい。かかる粘着ラベル４は、比較的剛性の高い合成樹脂フィルム等からなり、粘着剤が設けられた幅狭の貼付領域４１と、胴部２１の直径よりも長い幅広の突出領域４２と、を有し、貼付領域４１にＲＦＩＤ３が設けられている。
該粘着ラベル４は、突出領域４２の両側縁を胴部２１の外側に突出させた状態で、胴部２１に貼付領域４１が貼り付けられる。かかる粘着ラベル４が貼付されたＲＦＩＤ付き容器体１は、胴部周方向への回転が規制され、振動などが加わってもＲＦＩＤ３の方向性が変わり難くなる。
尚、上記粘着ラベル４では、貼付領域４１にＲＦＩＤ３が設けられているが、（貼付領域４１にＲＦＩＤ３を設けず）ＲＦＩＤ３の具備された胴部２１（例えば、ＲＦＩＤ３の具備された基材を胴部に貼付する）に、突出領域４２の両側縁を胴部の外側に突出させた状態で、粘着ラベル４を貼付してもよい。
また、その他、図示しないが、ＲＦＩＤ３の具備された容器２の胴部２１に、外側へ突出する突起部分を設け、胴部周方向への回転を規制するようにしてもよい。
【図面の簡単な説明】
【００４３】
【図１】本発明のＲＦＩＤ付き容器体の一実施形態を示し、（ａ）は、その正面図、（ｂ）は、側面図、（ｃ）は、上面図。
【図２】図１のＡ−Ａ線で切断した拡大端面図。
【図３】ＲＦＩＤ付き容器体に用いるアンプル（容器）の一例を示す正面図。
【図４】（ａ）は、ＲＦＩＤ付き容器体に用いるフィルムの一例を示す正面図、（ｂ）は、同Ｂ−Ｂ線断面図。
【図５】同フィルムの背面図。
【図６】ＲＦＩＤ付き容器体が収容された包装体の一例を示し、（ａ）は、容器体が横１段に収容された包装体の一部断面を含む側面図、（ｂ）は、容器体が横２段に収容された包装体の一部断面を含む側面図。但し、包装箱のみを縦断面で表している。
【図７】ＲＦＩＤ付き容器体が縦１列に収容された包装体の一例を示し、（ａ）は、その側面図、（ｂ）は、包装箱のみを断面で表したＣ−Ｃ線断面図。
【図８】包装体を搬送中に無線通信装置を用いてＲＦＩＤと通信する状態を示す一部省略側面図。
【図９】（ａ）〜（ｃ）共に、ＲＦＩＤ付き容器体に用いることができる各種容器の一例を示す縦断面図。
【図１０】本発明のＲＦＩＤ付き容器体の他の実施形態を示し、（ａ）は、その正面図、（ｂ）は、側面図。
【図１１】本発明のＲＦＩＤ付き容器体の他の実施形態を示し、（ａ）は、その正面図、（ｂ）は、Ｃ−Ｃ線断面図。
【図１２】（ａ）、（ｂ）ともに、ＲＦＩＤ付き容器体に用いるフィルムの変形例を示す正面図。
【図１３】本発明のＲＦＩＤ付き容器体の他の実施形態を示す正面図。
【符号の説明】
【００４４】
１…ＲＦＩＤ付き容器体、２…容器、２１…容器の胴部、３…ＲＦＩＤ、４…粘着ラベル、３１…ＩＣチップ、３２…アンテナ部、５…フィルム、５１…扁平部、５２…扁平部の扁平面、５３…巻付け領域、５４…基材領域（基材）、５５…切取補助線、７…包装箱、７１…包装箱の底面、７２…包装箱の一側面、７３…包装箱の他側面、１０…包装体、１１…コンベア、１２…無線通信装置
【図１】
0004651520.tif 000002
【図２】
0004651520.tif 000003
【図３】
0004651520.tif 000004
【図４】
0004651520.tif 000005
【図５】
0004651520.tif 000006
【図６】
0004651520.tif 000007
【図７】
0004651520.tif 000008
【図８】
0004651520.tif 000009
【図９】
0004651520.tif 000010
【図１０】
0004651520.tif 000011
【図１１】
0004651520.tif 000012
【図１２】
0004651520.tif 000013
【図１３】
0004651520.tif 000014